(57)【要約】      （修正有）【課題】比較的簡単に成型できる部品でカム面が設けられる改良されたカメラアセンブリを提供する。【解決手段】光軸を画定する支持部２４は、前方に伸びるカムフィンガ１９０を備え、該カムフィンガは前記光軸に対して傾斜する第１カム面１９２を有する。ガイド２８は前部外周縁４４を有し、前記支持部２４とガイド２８は各々個別の部品で、互いに連結される。ガイド２８は前記カムフィンガを受けるノッチ１９４を備え、該ノッチは前記第１カム面と平行で且つ離れて位置する第２カム面１９６を有する。前記第１カム面と第２カム面とは、互いに対向する端部１８６，１８８によってカムスロット１８４を形成する。鏡筒は光軸に沿って前記支持部２４に対して相対的に平行移動するが、鏡筒はスロット１８４内に嵌入し、該スロット１８４に沿って移動可能なカムフォロア１８０を有する。【選択図】図７
2004355002.tif 000002
【特許請求の範囲】
【請求項１】
カメラアセンブリであって、
光学軸を画定する支持部であって、前方に伸び、前記光学軸に平行な仮想線に対して傾斜する第１カム面を持つカムフィンガを有する支持部と、
前記支持部から離れて位置する前部外周縁と、前記カムフィンガを受け、前記第１カム面と平行で且つ前記第１カム面から離れて位置する第２カム面を持つノッチと、を有するガイドと、を含み、
前記第１カム面と第２カム面が、一緒に、第１と第２の対向する端部を備えるカムスロットを画定し、更に、
前記光学軸に沿って、内側位置と外側位置の間で選択的に、前記支持部に対して平行移動する鏡筒であって、前記スロット内に伸び、該スロットに沿って前記端部の間で移動可能なカムフォロアを持つ鏡筒を含み、
前記支持部と前記ガイドは、互いに連結される、それぞれ個別の部品である
ことを特徴とするカメラアセンブリ。
【請求項２】
カメラアセンブリであって、
光学軸を画定する支持部であって、前方に伸び、第１カム面を持つカムフィンガを有する支持部と、
前記支持部にスナップ留めされるガイドであって、前記支持部から離れて位置する前部外周縁と、前記カムフィンガを受け、前記第１カム面と平行で且つ前記第１カム面から離れて位置する第２カム面を持つノッチと、を有するガイドと、を含み、
前記第１カム面と第２カム面が共に、対向する第１端部と第２端部を備え且つ前記光学軸と平行でないカムスロットを画定し、更に、
前記光学軸に沿って、内側位置と外側位置の間で選択的に、前記支持部に対して平行移動するタレットであって、前記スロット内に伸び、該スロットに沿って前記端部の間で移動可能なカムフォロアを有し、該カムフォロアが前記スロットの前記第１端部に運ばれた時に第１方位に旋回し、該カムフォロアが前記スロットの前記第２端部に運ばれた時に第２方位に旋回するタレットを含む
ことを特徴とするカメラアセンブリ。
【請求項３】
カメラアセンブリであって、
光学軸を画定する支持部であって、前方に伸び、第１カム面を持つカムフィンガを有する支持部と、
前記支持部にスナップ留めされるガイドであって、前記支持部から離れて位置する前部外周縁と、前記カムフィンガを受け、前記第１カム面と平行で且つ前記第１カム面から離れて位置する第２カム面を持つノッチと、を有するガイドと、を含み、
前記第１カム面と第２カム面が共に、対向する第１端部と第２端部を備え且つ前記光学軸と平行でないカムスロットを画定し、更に、
前記光学軸に沿って、内側位置と外側位置の間で選択的に、前記支持部に対して平行移動する鏡筒であって、前記スロット内に伸び、該スロットに沿って前記端部の間で移動可能なカムフォロアを持つ鏡筒を含む
ことを特徴とするカメラアセンブリ。
【発明の詳細な説明】
【技術分野】
【０００１】
本発明は、写真技術およびカメラに関し、より詳細には、タレット用の伸張と収縮のカム面を異なる部品上に備えるカメラアセンブリに関する。
【背景技術】
【０００２】
可動式鏡筒は、一般に、スロット、溝、または、持ち上がったリブの形のカム面を含む。カム面は、鏡筒が伸張および収縮されて内部レンズ構造を移動する時に、ピンまたは他のカムフォロアが追従する面である。米国特許第６，３６９，９５６号明細書（特許文献１）は、溝が可動部品の爪によってなぞられるズーム鏡筒の例を示し、米国特許第４，９３７，６０９号明細書（特許文献２）は、内部レンズ部品の不均一なカム面をなぞるカムフォロアに応じて、内部光学部品が、光学パスの内部と外部に旋回するカメラレンズの例を示す。
【０００３】
米国特許第５，２２５，９３９号明細書（特許文献３）と第６，３６９，９５６号明細書（特許文献１）は、固定支持部の前方に伸びた部分をガイド面として用いて、レンズ部品の線形移動を案内することを開示する。
【０００４】
一回限定使用のカメラ、再利用可能なカメラ、および低価格の再利用可能なカメラは、一般に、コストを削減するため、プラスチック成型部品を利用する。実用上の制限は、部品が複雑になること、その結果、必要な型枠が複雑になりコストがかさむことである。米国特許第５，２２５，９３９号明細書（特許文献３）は、非常に複雑な形状で一体型に形成されたズームレンズチューブを有する鏡筒を開示する。このチューブは、カム面として機能する、一体型に形成されたリブを備える。
【０００５】
【特許文献１】米国特許第６，３６９，９５６号明細書
【特許文献２】米国特許第４，９３７，６０９号明細書
【特許文献３】米国特許第５，２２５，９３９号明細書
【発明の開示】
【発明が解決しようとする課題】
【０００６】
したがって、比較的簡単に成型できる部品でカム面が設けられる改良されたカメラアセンブリを提供することが求められる。
【課題を解決するための手段】
【０００７】
本発明は、請求項によって定義される。より広い側面において、本発明は、光学軸を画定する支持部を有するカメラアセンブリを提供する。支持部は、前方に伸びるカムフィンガを備える。カムフィンガは、光学軸に平行な仮想線に対して傾斜する第１カム面を持つ。ガイドは、前記支持部から離れて位置する前部外周縁を備える。支持部とガイドは、互いに連結されるそれぞれ独立した部品である。ガイドは、前記カムフィンガを受けるノッチを備える。ノッチは、前記第１カム面と平行で、前記第１カム面から離れて位置する第２カム面を持つ。これらのカム面は、第１と第２の対向する端部を持つカムスロットを画定する。鏡筒は、光学軸に沿って、内側位置と外側位置の間で選択的に、支持部に対して平行移動する。鏡筒は、前記スロット内に伸び、該スロットに沿って前記両端部の間で移動可能なカムフォロアを備える。
【発明の効果】
【０００８】
本発明の効果は、第１方向に移動する時は、カムフォロアが一の部品に形成されたカム面をなぞり、反対方向である第２方向に移動する時は、前記カムフォロアが別の部品に形成されたカム面をなぞる、改良されたカメラアセンブリが提供されることである。
【発明を実施するための最良の形態】
【０００９】
本発明の前述および他の特性、目的、およびそれらを実現する方法は、本発明の実施形態に関する後述の説明を添付の図面と共に参照することによって、より明瞭になり、本発明そのものについて、より適切に理解されるであろう。
【００１０】
ここでは、「固定」とその類似の用語は、不動であって変化しない物理的位置または物理的関係という観念で用いられる。「カメラアセンブリ」の用語は、ここでは、完成した状態のカメラ、または、他の部品と組み立てられて完全なカメラを形成することができる、カメラの不完全なサブユニットを表すために用いられる。「カメラアセンブリ」は、ここで、完全な一回限定使用カメラと、一回限定使用カメラのサブアセンブリとを含む包括的表現である。「カメラアセンブリ」という用語における「カメラ」という言葉は、特定のカメラアセンブリで実現できる用途を限定するものではない。たとえば、レンズ系を含む「カメラアセンブリ」は、双眼鏡の構成部品としての同アセンブリの用途を含むものである。説明の便宜上、カメラアセンブリは、概して、完成品であるカメラの個別機能に関連する、より描写的な名称によって表現される。
【００１１】
ここで、特に、図１から図４を参照しながら説明する。カメラ１０は、前面カバー１６と背面カバー１８を備えたシェル内に保持されるフレームアセンブリ１２を有する。フレームアセンブリ１２は、フレーム２０を含み、このフレーム２０に他のいくつかのカメラ構成部品が取り付けられる。ここで開示する実施形態において、前述の構成部品の１つは、フレーム２０に連結される支持部２４を含むレンズモジュール２２である。
【００１２】
支持部２４は、マウント２６と、該マウント２６に連結されるガイド２８を有する。支持部２４は、フレーム２０に対して、恒久的に取り付けられても、あるいは、可逆的に取り外し可能であることもできる。後者は、一回限定使用のカメラを再利用する際に便利である。取り付け方式は、重要ではない。支持部２４は、フック３０と、対応するフック掛け（図示せず）とによってフレーム２０にフック留めできる。他のタイプの留め金具も利用できる。支持部２４は、フレーム２０に接着することも、あるいは、摩擦力による嵌め合いや他の手段によって保持されることもできる。フレーム２０と支持部２４、またはフレーム２０とマウント２６は、必要に応じて、１個のプラスチック成型部品に形成されても、あるいは、それぞれが１個のプラスチック成型部品であってもよい。
【００１３】
カメラ１０は、画像を取り込んで保存する取込装置３２を含む。使用される取込装置３２の種類は、重要ではない。取込装置３２は、写真フィルムに画像を取り込める。この場合は、フレーム２０が１組の対向するチャンバ（個別には図示されていない）を持つと都合がよい。フィルムは、１方のチャンバから他方のチャンバに取込面（図示せず）を超えて巻き取られる。フィルム関連の装備（図示せず）、たとえば、フィルム搬送部３４などは、当業者に周知の方法で供給できる。
【００１４】
電子式取込装置は、写真フィルムが電子式撮像装置（図示せず）に取り替えられたものである。撮像装置は、電子式メモリを含む制御システムによって制御される。取り込まれた画像は、メモリに格納されて、前記制御システムで処理される。このような電子式取込装置の特性は、当業者にとって周知のものである。
【００１５】
フラッシュユニット３６および当業者に周知の他のカメラ部品も、カメラ１０に搭載できる。フラッシュユニット３６と他の構成部品は、フレーム２０に装着されるか、あるいは、フレーム２０とカバー１６，１８との間に保持される。
【００１６】
支持部２４は、光学軸３８を画定する。ガイド２８は、光学軸３８に沿ってマウント２６から前方に延び、光学軸３８と整列して設けられる中央通路を取り囲む。「取り囲む」とその類似の用語は、広い意味で使用されるもので、円形形状、または隙間や開口部のない構造を暗示するものでも、または、これらに限定されるものでもない。ここに記載された実施形態において、中央通路４０は、断面が略円形である。前述と同様の考慮事項が、同様の特性の他の形状を有する実施形態にも適用されることは、理解されるであろう。ガイド２８は、フレーム２０に隣接する後部外周縁４２と、該後部外周縁４２の反対側の前部外周縁４４と、を有する。
【００１７】
マウント２６は、前方を向いた浅型のカップ（図３〜図７を参照）で、ガイド２８を受け取る。マウント２６の中央開口部４６は、望ましくない光を遮断してフレアを削減する遮蔽構造体４８で縁取りされる。ガイド２８は、マウント２６に対して、スナップ留めまたは接着されるか、あるいは、マウント２６と固定関係に締結される。マウント２６およびガイド２８は、従来、２つの部品として設けられるが、単一の部品として設けることもできる。
【００１８】
鏡筒５０は、中央通路４０に沿った双方向移動が可能で、光学軸３８の軸線上を、収縮位置から伸張位置まで複数の中間位置を通って移動できる。この移動が直線状に成されると共に、ガイド２８が、光学軸３８の廻りでの鏡筒５０の回転を防ぐことが好ましい。鏡筒５０は、鏡筒５０の伸張位置と収縮位置において完全にガイド２８内に収まるように設けられる。あるいは、伸張位置において、または伸張位置と収縮位置の両方においてガイド２８から突出することもできる。本発明は、ここでは、鏡筒５０が、伸張位置と収縮位置において完全にガイド２８内に収容される実施形態に関連して概説される。前面カバー１６は、光学軸３８と位置合わせされたカバー開口部５２を除いてガイド２８を覆う。別の選択肢として、鏡筒５０は、伸張位置、または伸張と収縮の両位置においてガイド２８から突出できるが、この場合は、前面カバー１６の開口部５２の外縁が、鏡筒５０を取り囲む（図示せず）。
【００１９】
次に、図８〜図１２、および図３３〜図３５を参照して説明する。鏡筒５０の伸張位置と収縮位置は、それぞれ、前部レスト５４と後部レスト５６によって画定される。レスト５４，５６は、光学軸３８に沿って互いに離れ、それぞれが中央通路４０の境界となる。鏡筒５０は、第１接触面と第２接触面５８，６０を有する。伸張位置では、第１接触面５８が前部レスト５４に載る。収縮位置では、第２接触面が後部レスト５６に載る。
【００２０】
図８〜図１０、および図３３〜図３５は、前部レスト５４の一実施形態を示す図である。図１１〜図１２は、別の実施形態を示す図である。後部レスト５６は、必要に応じて、前部レスト５４と同様であっても、異なっていてもよい。図８〜図１０、および図３３〜図３５の実施形態において、前部レスト５４は、ガイド２８の前部外周縁４４に連結される移動止め部材６２ａの内面の一部である（この実施形態について、下記に詳述する）。
【００２１】
図１１〜図１２の実施形態において、前部レスト５４は、前部外周縁４４の内部に伸びる１組の突起またはポスト６４である。調整可能なレストを設ける代わりに、必要に応じて、前部外周縁４４のねじ穴付き開口から伸びるボルトを利用できる。図１１〜図１２において、鏡筒５０の第１接触面５８は平坦である。別の選択肢として、第１接触面５８は、図３３〜図３５に示されるように、ピンの上または他の構造体上に設けることもできる（詳細は後述する）。前部外周縁４４と第１接触面５８は、その一方または両方が、突起などを備えることができる。あるいは、その一方または両方が平坦であってもよい。
【００２２】
第１接触面および第２接触面５８,６０それぞれと、対応する前部外周縁および後部外終縁４４,４２との接触は、三脚状、すなわち、３点接触である。たとえば、３つの突起６４は、図１１〜図１２の実施形態で設けることができる。３点接触はぐらつきの恐れを少なくする他、接触する領域を削減する。このことは、製造における精密な部品位置合わせをより簡略化する。
【００２３】
図１〜図３、および図８〜図１０を参照して、いくつかの実施形態について説明する。ツイストリング６６は、ガイド２８に取り付けられる。ツイストリング６６は、ガイド２８を取り囲むか、あるいは、ガイド２８の周囲の少なくとも一部に伸びる。ツイストリング６６が鏡筒５０と機械的に噛み合うため、ツイストリング６６の回転により、伸張位置と収縮位置の間で、鏡筒５０が光学軸３８に沿って移動する。ツイストリング６６は、ガイド２８の前部外周縁４４と、移動止め部材６２ａの少なくとも一方、または他の部品によって、軸方向の定位置に捕捉される（図５と図８を参照）。ツイストリング６６と鏡筒５０の機械的結合は、カム方式の伸張収縮機構である。他の方式の伸張収縮機構も利用できる。たとえば、ツイストリング６６と鏡筒５０は、歯車列や、カムスロットまたは溝に乗るピンなどによって連結できる。
【００２４】
鏡筒５０は、図３〜図４に示すように、支持構造として機能する移動部６８と、該移動部６８の前端を閉じるキャップ７０とを含む。移動部６８とキャップ７０は、それぞれが１個のプラスチック成型部品であってよい。図示された実施形態において、移動部６８は、追随部７２を含み、更に、光学軸３８に垂直な方向に伸びる横断壁７４と、該横断壁７４を囲む環状外壁７６と、を備える。横断壁７４は、光学軸３８と位置合わせされた中央開口部または主アパーチャ７８を備える。
【００２５】
特定の実施形態において、追随部７２は、鏡筒５０の主要部８２から外に向かって突き出る３つのトラックフォロア８０を有する。トラックフォロア８０は、移動部６８の廻りに等間隔に配置できる。この配置は、支持部２４に対する移動部６８の傾斜を防止するのに役立つ。トラックフォロア８０は、それぞれ、間隔の離れた１組のポスト８４を有する。ツイストリング６６は、移動部６８の追随部７２を受ける追随区画８６と、移動部６８の拘束部を備えており、ツイストリング６６が右向き配置と左向き配置の間で回転されると、移動部６８が、光学軸３８に沿って、前後に移動する。
【００２６】
ツイストリング６６の追随区画８６は、光学軸３８を中心とした螺旋形状を描く１組の内部トラック８８である。各トラック８８は、移動部６８のトラックフォロア８０のうち、それぞれ固有の１つを受ける。特定の実施形態において、トラック８８は、ツイストリング６６の環状壁９０から光学軸３８に向かって伸びる螺旋リブである。トラック８８は、各トラックフォロア８０のポスト８４の間に挟まれる。別の選択肢として、トラック８８は、トラックフォロア８０を受け入れる溝、または平行なフェンスの組み合わせで構成できる。この場合、トラックフォロア８０は、溝の内部または平行なフェンスの間に収まるように構成される。鏡筒５０の伸張収縮機構の特性とツイストリング６６の伸張収縮機構の特性は交換可能で、たとえば、ポスト８４は、鏡筒５０ではなくツイストリング６６に設けられてもよい。
【００２７】
トラックフォロア８０は、ガイド２８内の対応するスロット９２を介してトラック８８まで伸びる。スロット９２は、それぞれ、光学軸３８と平行に伸びる。図示された実施形態では、３つのスロット９２と、それらに対応する３つのトラック８８が存在する。トラックフォロア８０は、ツイストリング６６が回転した時に、トラック８８に沿って摺動する。トラックフォロア８０が支持部２４のスロット９２に保持されるため、鏡筒５０は、光学軸３８に沿って内側および外側に向かって線形に移動する。
【００２８】
第１接触面と第２接触面５８，６０は、移動部６８の部分である。図３３〜図３５に示された実施形態において、第１接触面と第２の接触面５８，６０は、トラックフォロア８０のポスト８４の向き合った部分である。
【００２９】
図１１〜図１２の実施形態において、第１接触面と第２接触面５８，６０は、移動部６８の前面と背面の一部である。この実施形態において、ツイストリング６６は存在しない。代わりに、移動部の往復運動は、該移動部６８のポスト２０８を受ける旋回可能なリンク２０２を用いて行われる。このリンク２０２は、カメラ外部から到達できる回転可能ノブまたは同様の機構（図示せず）に対して固定関係（移動不能）に連結される。追随部７２とガイド２８のスロット９２は、前述と同様、またはより単純な形で配置できる。本実施形態では、追随部のみが、移動部６８の移動中の案内と中心出しを提供する。簡素化の例としては、スロット９２がガイド２８から完全には延長されないように、スロット９２の深さを制限し、トラックフォロア８０内のポスト８４の数を削減することが考えられる。
【００３０】
一部の実施形態において、鏡筒５０は、収縮位置と伸張位置のみで用いるように設定され、中間位置での利用には対応していない。中間位置においては、後述するように、バイアス部９４が、鏡筒５０の中間位置での停止を妨害する。このため、鏡筒５０が中間位置にある時、移動部６８は、おおよその整列状態よりも正確に光学軸３８と一致する位置に維持されることを要しない。ガイド２８は、このおおよその整列状態を提供する。また、ガイド２８は、収縮位置と伸張位置においては、光学軸３８との緊密な整列状態に移動部６８を保持する。
【００３１】
特に、図３３〜図３５を参照して説明する。トラックフォロア８０は、ツイストリング６６のトラック８８とガイド２８のスロット９２とに緩く保持される。ツイストリング６６は、ガイド２８上に緩く嵌合する。各トラックフォロア８０の位置は、それぞれのトラック８８とスロット９２によって決まる。スロット９２内のトラックフォロア８０とガイド２８上のツイストリング６０の緩い嵌合は、収縮位置と伸張位置の間の移動部６８の移動中に、ツイストリング６６と移動部６８が、光学軸３８に対して角度的不整合に陥ることを許す。この緩い嵌合は、低い精度で製造コストを削減するという点で有利である。移動部６８が傾斜するのは、収縮位置と伸張位置の間での移動部６８の中間位置に限られるため、この精度の低さは問題にはならない。収縮位置と伸張位置において、移動部６８の各接触面５８，６０は、それぞれのレスト５４，５６と噛み合った状態にある。前述したように、レスト５４，５６と、それぞれの接触面５８，６０との間に３点接触を提供することは、ガイド２８に対して移動部６８が傾斜する危険を更に削減することに役立つ。
【００３２】
ツイストリング６６とトラック８８の緩い嵌合は、移動部６８の何らかの他の動作を許容する。トラックフォロア８０は、光学軸３８の廻りで、ガイド２８の各スロット９２に対して前後に若干旋回できる。この動作は、無視できるものである。移動部６８に設けられた光学部品（後述）は、光学軸３８廻りの回転に関して、均一な特性を持つことができる。移動部６８は、また、光学軸３８と平行な方向における位置合わせ不良を起こす恐れがある。この平行方向の位置合わせ不良は、移動部６８の外壁７６とガイド２８の中央通路４０とを精度良く寸法決めすることで削減できる。この寸法関係は、ガイド２８全体に適応できる。あるいは、移動部６８が収縮位置および伸張位置で進入する部分であるガイド２８の前部と後部のみに適応してもよい。
【００３３】
図４、および図１３〜図１９を参照して説明する。タレット９６は、移動部６８に配設されて、移動部６８に支持される。タレット９６は、移動部６８に乗って、収縮位置と伸張位置の間で移動する。タレット９６は、１つまたは２つの後部光学部品座９８，９９を有する。座９８，９９は、それぞれ、アパーチャ１００，１０２を環状に囲む。タレット９６は、旋回軸１０４を中心として、移動部６８に対して旋回できる。この旋回軸１０４は、移動部６８から伸びたもので、光学軸３８と平行である。タレット９６の旋回は、図８と図１７に示される、アパーチャ１００の１つが光学軸３８と整列する第１位置と、図１０と図１８に示される、アパーチャ１００が光学軸３８から離れ、第２アパーチャ１０２が存在する場合は、第２アパーチャ１０２が移動部６８の中央開口部７８と整列する第２位置の間でなされる。
【００３４】
ここで開示される実施形態において、タレット９６は、移動部６８の外壁７６と光学軸３８の間に配置される。この配置は、一回限定使用カメラにとって都合の良いもので、前面および背面カバー１６，１８が除去される再利用段階において、外壁７６により、タレット９６を衝撃などから保護できる。
【００３５】
前部レンズ部品１０６は、光学軸３８と整列する位置において、中央開口部７８を覆って移動部６８内に取り付けられる。任意の構成として、１つ以上の追加の光学部品（図示せず）が移動部６８に配置される。ここで開示される実施形態では、第１タレットレンズ部品１０８が、第１後部アパーチャ１００の上で第１後部光学部品座９８内に設けられる。第２タレットレンズ部品１１０は、第２後部アパーチャ１０２の上で第２後部光学部品座９９内に設けられる。前部レンズ部品と後部レンズ部品１０６，１０８，１１０と、他のレンズ部品（存在する場合）とで、光を取込面に案内する撮像レンズ系を構成する。後部レンズ部品１０８，１１０は、それぞれ、タレット９６の第１位置と第２位置において光学軸３８と整列する。
【００３６】
図３３〜図３５に示される実施形態において、前部レンズ部品１０６と第１タレットレンズ部品１０８とで第１複レンズになり、前部レンズ部品１０６と第２タレットレンズ部品１１０とで第２複レンズになる。第１後部レンズ部品と第２後部レンズ部品１０８，１１０は、異なる光学的パワーを備えており、第１複レンズと第２複レンズの異なる焦点距離、または焦点長さを提供する。タレット９６のレンズ部品に加えて、あるいはその代用として他の光学部品を設けることもできる。
【００３７】
図４、図１３〜図１６、および図４１〜図４４を参照しながら、いくつかの実施形態について説明する。シャッタ１１２は、横断壁７４とタレット９６の間で移動部６８内に設けられる。シャッタ１１２は、移動部６８と共に、光学軸３８に沿って前後に移動する。シャッタ１１２は、通常、該シャッタ１１２が中央開口部７６を隙間なく覆う閉状態にある。
【００３８】
シャッタ１１２は、フレーム２０に取り付けられるシャッタレリーズ１１６を含むシャッタ機構１１４の一部である。シャッタレリーズ１１６は、シャッタ１１２を一時的に開くために、ユーザが開放できる。単葉インパクトシャッタは、中央開口部７６が遮断される閉位置と、中央開口部７６が開かれる開位置の間で、移動部６８に対して旋回することが示されている。
【００３９】
シャッタ１１２は、シャッタ駆動レバー１１８によって駆動される。シャッタ駆動レバー１１８は、フィルム搬送部３４によって駆動されて、係合状態になる。デジタルカメラには、使用する撮像装置によって異なるが、単純な機構で駆動される同様のシャッタ、他の機械式シャッタ、または、シャッタとして機能する撮像装置の内部電子機器回路と制御システムを利用できる。
【００４０】
フィルム搬送部３４は、回転のためにフレーム２０の先端角部の近くに取り付けられるサムホイールと計量ホイール１２０の組み合わせを含む。ホイール１２０の一部は、背面カバー１８を超えて伸びており、カメラ作業者が触れることができる。必要に応じて、ユーザによって直接駆動される代わりに、巻き上げノブ、レバー、電気モータ、または他の同様の装置で駆動することもできる。
【００４１】
写真フィルム１２２は、まず、一方のフィルムチャンバ（図示せず）内のコイルに巻かれ、取込面（図４１に矢印１２１で指示）を超えてもう一方のフィルムチャンバ（図示せず）まで伸びている。このもう一方のフィルムチャンバ内で、フィルム１２２の一端は、フィルムカートリッジ７６のスプール１２４に把持される。ホイール１２０は、該ホイール１２０をフィルムカートリッジのスプール１２４と結合するキー（図示せず）を備える。この結合により、ホイール１２０の前方への回転が、フィルム１２２を駆動してカートリッジ７６内に巻き取り、取込面１２１を超えて前進させる。逆戻り防止爪１２６は、逆方向の回転を防止するため、ホイール１２０のエッジに弾性的に力を生じる。
【００４２】
フィルム計量スプロケット１２８は、フレーム２０によって旋回可能に支持されるスプロケットシャフト１３０を備える。スプロケット１２８は、フィルム１２２のパーフォレーションと噛み合い、スプロケット１２８が回転されると、その全周の回転で、毎回、１フィルムフレームに相当する距離だけフィルム１２２が前進する。
【００４３】
アクチュエータディスク１３２と係合カム１３４は、スプロケット１２８と一体形に１個の部品として、あるいは、スプロケット１２８と組み立てられる構造に作成されて固定の関係（可動でない関係）を維持する。アクチュエータディスク１３２は、ノッチ１３６によって中断される以外は連続している外周を備える。係合カム１３４は、その片側に螺旋状の面を持つ。
【００４４】
フィルム計量レバー１４４は、旋回移動に対応するように、フレーム２０によって支持される。この計量レバー１４４には、駆動方向において、コイルばね１４６による力が加えられる。計量レバー１４４は、端部に歯が形成された第１アーム１４８と、爪を持つ第２アーム１５０と、を含む。計量レバー１４４の歯付きアーム１４８が、アクチュエータディスク１３２のノッチ１３６に受け止められると、計量レバー１４４の爪付きアーム１５０が、ホイール１２０の歯付き外周縁と噛み合い、フィルム１２２の前進を一時的に妨害する。
【００４５】
シャッタレリーズ１１６は、該シャッタレリーズ１１６の可撓性アーム１４０の片持ち部端部の近くに配置されたシャッタボタン１３８を含む。シャッタボタン１３８に隣接して、アーム１４０は、ラッチ部材１４２を運ぶ垂直タブを備える。
【００４６】
シャッタ駆動レバー１１８は、ばね１５２によって力が加えられる。シャッタ駆動レバー１１８は、ラッチ部材１４２と噛み合わされ、シャッタ駆動レバー１１８をばね１５２に対抗して係合状態に保持する舌１５４を有する。シャッタ駆動レバー１１８は、また、フィルム搬送部３４の係合カム１３４と噛み合うように配置されるカムフォロアフィンガ１５４を有する。
【００４７】
１組の締結バー１５６，１５８は、フレーム２０から外に向かって伸びる。第１締結バー１５６は、シャッタ駆動レバー１１６と結合される。バー１５６とレバー１１６は、１個の成型部品の異なる部位であると好ましい。締結バー１５６，１５８は、それぞれ、逆向きの第１端部と第２端部を持つ。第１端部は、互いに離れており、それぞれがフレーム２０に旋回可能に連結される。２つの締結バー１５６，１５８の第２端部には、平行バー１６４が旋回可能に連結される。平行バー１６４は、第１端部から前方に離れると共に、フレーム２０からも前方に離れることができる。打ち当て１６６は、前記平行バー１６４と共に動作可能で、好ましくは、平行バー１６４と結合される。必要に応じて打ち当てを変形して、移動部の移動に伴って伸縮するように構成できる。
【００４８】
シャッタ駆動レバー１１８が係合状態にあり、カメラ１０が露光を行える状態にある時、図４１に示すように、シャッタ駆動レバー１１８の舌は、ラッチ部材１４２と噛み合わされる。この噛み合いが、ばね１５２に対抗して、シャッタ駆動レバー１１８を係合された状態に維持する。これに先立ち、フィルムの進行中に、スプロケット１２８は、計量レバー１４４の歯付きアーム１４８がアクチュエータディスク１３２のノッチ１３６内に存在する位置に回転される。この回転によって、計量爪付きアーム１５０は、ばねの影響下でホイール１２０と噛み合うことができる。シャッタ駆動レバー１１８のカムフォロアフィンガは、係合カム１３４と接触しない。
【００４９】
撮影者がシャッタボタン１３８を押して、露光を開始すると、シャッタレリーズ１１６が開放されて、待機状態から開放状態に移行する。シャッタボタン１３８がラッチ部材１４２を動かしてシャッタ駆動レバー１１８の舌との噛み合いをはずすと、シャッタ駆動レバー１１８は、ばねによってすばやく旋回されて、係合状態から非係合状態に移行する。これにより、打ち当てがシャッタ１１２の突起１６８を叩いて、シャッタ１１２を閉じた状態から開いた状態に回転させる。突起１６８は、シャッタの残りの部分から光学軸３８と平行な方向に伸びるシャッタ１１２の延長部位１７０上に位置する。この延長部位１７０は、移動部６８が伸張位置および収縮位置にある時に、突起１６８と打ち当て１６６の重なり合いを提供する。突起１６８の衝突は、アパーチャから離れる方向にシャッタ１１２を移動させ、取込面上に光画像を露光させる。アパーチャは、一時的に被覆されない状態になる。打ち当てがシャッタ１１２の突起１６８を超えて移動すると、シャッタ１１２は、シャッタ復元ばね１６９の力によって閉じた状態に戻る。
【００５０】
フィルムの露光が完了すると、シャッタ駆動レバー１１８は、計量レバー１４４の下側に伸びるヨーク１７３との噛み合い位置に移動する。この移動によって、計量レバー１４４は、ばね１４６によって計量部材に印加される弱い力に打ち勝ち、非駆動位置まで回転する。その結果、計量爪付きアーム１５０が、ホイール１２０との噛み合い状態から解除され、計量部材の歯付きアーム１４８が、アクチュエータディスクのノッチ１３６から逃げる。これにより、搬送機構３４が稼働され、フィルム１２２は、利用可能な次のフレームまで前進できる。
【００５１】
撮影者が、ホイール１２０を次に前方に回転させると、フィルム１２２がスプール１２４に巻き取られる。これにより、計量スプロケット１２８は、ホイール１２０と同じ方向に回転する。係合カム１３４が、シャッタ駆動レバー１１８のフィンガ１７１と噛み合い、後部を装填状態まで回転させる。
【００５２】
多種多様の他の適切なシャッタ機構が当業者に知られており、現在利用可能なカメラに広く使用されている。
【００５３】
ここで、図４、図８〜図１０、および図１３〜図１９を参照して説明する。タレット９６は、対向する前面と背面１７２，１７４を有する。後部レンズ部品または複数の後部レンズ部品１０８，１１０は、背面１７４に設けられる。シャッタ１１２は、前面１７２の極めて近傍に位置する。タレット９６は、１組のスタンドオフ１７９に対して旋回する。各スタンドオフは、移動部６８の横断壁７４の一部である。スタンドオフ１７９は、横断壁７４とタレット９６の間に、シャッタ１１２の移動のための空間を提供する。シャッタは、横断壁７４とタレット９６の前面１７４とに極めて近接しており、その一方または両方と接することもできる。スタンドオフは、過剰な摩擦力を伴わずに移動部を保持するように構成される。図示された実施形態において、スタンドオフ１７９は、リブ１７６と２つ以上の節１８１（図１９に最も詳細に示される）とを含む。
【００５４】
裏打ち材１７８は、移動部６８に接合される。裏打ち材１７８は、移動部６８と共に、支持部２４に対して移動する。タレット９６は、裏打ち材１７８と、移動部６８の横断壁７４の間に挿入される。裏打ち材１７８は、一回限定使用のカメラにとって非常に有効である。一回限定使用のカメラでは、再利用処理時に、レンズモジュール２２が、カメラ１０の残りの部分から分離される可能性があるので、裏打ち材１７８は、タレット９６を損傷から保護するのに役立つ。
【００５５】
図５〜図１０、および図１６〜図１９を参照して説明する。タレット９６は、カムスロット１８４内に伸びるカムフォロア１８０を有し、カムスロット１８４に沿って、対向する両端部１８６，１８８の間を移動する。タレット９６は、カムフォロア１８０がカムスロット１８４の第１端部１８６に移動した時に、第１位置まで旋回する。また、タレット９６は、カムフォロア１８０がカムスロット１８４の第２端部１８８に移動した時に、第２位置まで旋回する。
【００５６】
タレット９６の旋回は、移動部６８の軸方向の移動と機械的に同期される。この同期によって、鏡筒５０は、カムフォロア１８０が第１端部１８６に配置された時に、第１形態を取り、カムフォロア１８０が第２端部１８８に配置された時に、第２形態を取る。移動部６８は、第１形態において収縮位置にあり、第２形態において伸張位置にある。
【００５７】
本発明の特定の実施形態において、支持部２４は、第１カム面１９２を持ち、前方に伸びるカムフィンガ１９０を有する。ガイド２８は、カムフィンガ１９０を受けるカムノッチ１９４を有する。カムノッチ１９４は、第２カム面１９６を持つ。第１カム面１９２は、光学軸３８と平行な仮想線に対して傾斜した状態にある。第２カム面１９６は、第１カム面１９２と平行で、第１カム面１９２から離れて位置する。カム面１９２，１９６は、共に、カムスロット１８４と、対向する第１および第２の端部１８６，１８８と、を画定する。支持部２４とガイド２８に対して、互いに結合される個別の第１カム面と第２カム面１９２，１９６を設けたことは、支持部２４を１つのプラスチック成型部品として加工し、ガイド２８を別の１つのプラスチック成型部品として加工する行程を単純化するという点で有利である。
【００５８】
ここでは、主に、図２０〜図２３を参照して説明する。バイアス部９４は、鏡筒５０が伸張位置にある時に、第１接触面５８を前部レスト５４に向けて押しつけ、鏡筒５０が収縮位置にある時に、第２接触面６０を後部レスト５６に向けて押しつける。また、バイアス部９４は、鏡筒５０を中間位置から引き離し、伸張位置と収縮位置のより近くに鏡筒５０を向かわせると好ましい。バイアス部９４は、また、タレット９６に対しても直接的または間接的に作用して、タレット９６のカムフォロア１８０を、カムスロット１８４の第１端部と第２端部１８６，１８８に向かわせ、カムスロット１８４の端部１８６，１８８の途中の連続した中間位置から離れる方向に押し付けようとする。前述したように、この動作は、移動部６８の移動と協調して行われる。
【００５９】
バイアス部９４は、１つ以上の調整オーバセンタ機構を含む。オーバセンタ機構または鏡筒５０を駆動する機構は、順方向に力を生じさせる第１状態と、逆方向に力を生じさせる第２状態の間で、高度な力の供給と高速反転を提供することが好ましい。力は、反転時まで増加すると好ましい。
【００６０】
図１６〜図１９を参照して、特定の実施形態について説明する。バイアス部９４は、タレット９６を第１位置と第２位置に動かす力を生じさせるタレットばね１９７を含む。この第１位置および第２位置は、それぞれ、図８と図１７、および図１０と図１８の実施形態に示される。タレットばね１９７は、図９に示したものと同様に、中間位置から離れるようにタレット９６に力を加える。タレットばね１９７は、また、前述の移動部６８に対するタレット９６に継続的に力を加える。図１６〜図１９に示される実施形態において、タレットばね１９７は、タレット９６上に載る第１端部１９９を備える。第２端部１９５は、移動部６８の横断壁７４に取り付けられるが、２つに分断されて、カムフォロア１８０に空間を提供する。
【００６１】
図１１〜図１２に示される実施形態において、バイアス部９４は、内側端部２０９において支持部２４に旋回可能に結合されるリンク２０２を備えたオーバセンタ機構１９８を有する。支持部２４は、ポスト２０６を備える。リンク２０２は、前記ポスト２０６と嵌合する穴を有する。リンク２０２の他の端部２１１は、移動部６８に摺動可能に連結される。移動部６８は、上に伸びるポスト２０８を有する。リンク２０２の外側端部２１１は、細長い楕円のような形状の開口部２１０を備えるが、該開口部２１０の内側端部２１２に若干の急な曲がりを有する。ポスト２０８は、開口部２１０に沿って、内側端部２１２と外側端部２１４の間で移動できる。
【００６２】
本実施形態において、支持部２４は、リンク２０２の２つの端部２０５，２０６の間で、支持部２４の残りの部分から前方に突き出るフランジ２１６を有する。オーバセンタ機構１９８は、両端にループを備えたオーバセンタばね２００を有する。第１ループは、フランジ２１６に結合される。第２ループは、リンク２０２の２つの端部２０９，２１１の間でリンク２０２に結合される。オーバセンタばね２００は、高速反転と、反転するまで上昇する力とを特徴とする。
【００６３】
リンク２０２は、収縮位置と伸張位置の間の鏡筒５０の移動に連携して、収縮位置と伸張位置の間で移動できる。オーバセンタばね２００が取り付けられたフランジ２１６は、収縮位置において、リンク２０２の中心線より前方に位置し、伸張位置において、リンク２０２の中心線より後方に位置する。収縮位置と伸張位置の間での動作時に、移動部６８のポスト２０８は、開口部２１０に沿って両端部２０５，２０６の間で移動する。オーバセンタ機構１９８は、機械的に結合された部分を介して直接または間接的に、鏡筒５０を回転させることによって、収縮位置と伸張位置の間で切り替えられる。
【００６４】
図８〜図１０、および図１７〜図３２を参照しながら、他の実施形態について説明する。バイアス部９４は、更に、両端にループ２０１，２０３を持つオーバセンタばね２００も含む。一方のループ２０１は、ツイストリング６６と連結される。もう一方のループ２０３は、支持部２４またはフレーム２０の一部であるボス２９と連結される。これらのループは、それぞれ個別の部位から外に突き出るノブ２０５，２０７によって保持される。ノブ２０５，２０７は、ループ２０１，２０３の保持を支援するためにノッチなど（図示せず）を備えることができる。支持部２４に保持されたばね２００は、別の選択肢として、フレーム２０または他の移動しない部品に連結できる。
【００６５】
オーバセンタばね２００は、展開機構２１８に属する。展開機構２１８は、把持部２２２と滑動部２２４とを有するアクチュエータ２２０を備える。把持部２２２は、ボディ外部から到達でき、（図示のような）立ち上がった握り棒と、ローレット切りや他のテクスチャなど、ユーザによる操作を簡単にする１つ以上の特性、の少なくとも一つを持つことができる。把持部２２２は、前面カバー１６の窪み２２６内で前後に移動できる。把持部２２２は、窪み２２６の開口部２３０から突出するコネクタ２２８を有する。開口部２３０は、窪み２２６の中心に配置でき、把持部２２２と完全に重なり合う。この重複は、光の封じ込めを提供する。把持部２２２の移動は、窪み２２６の長さによって規定される。移動は、窪み２２６内の開口部２３０の長さによって制限できるが、この方法は、カバー１６内の把持部２２２の嵌め合わせが、ユーザにとってずさんな感じに見える可能性があり、美的観点から魅力的ではないかもしれない。
【００６６】
アクチュエータ２２０は、レンズモジュール２２のガイド２８に隣接するアクチュエータベース２３２に設けられる。アクチュエータベース２３２は、フレーム２０の一部であっても、あるいは、個別の部品であっても、あるいは、支持部２４のガイド２８またはマウント２６と一体型に形成されてもよい。たとえば、アクチュエータベース２３２とガイド２８を、１個のプラスチック成型部品の各部位とすることもできる。この構成は、展開装置と鏡筒５０の位置合わせの大部分が、アクチュエータベース２３２とその横のガイド２８との物理的配置の作用で完結するという点で、便利である。特定の実施形態において、ガイド２８は、マウント２６に吊り掛けられ、アクチュエータベース２３２とマウント２６は、両方ともフレーム２０に吊り掛けられるので、使用中に、ある部位が他の部位から屈曲するという危険が減る。
【００６７】
アクチュエータ２２０の滑動部２２４は、アクチュエータベース２３２に載っており、該アクチュエータベース２３２上で往復運動できる。滑動部２２４は、段付きの形状（図２８を参照）を持つことができ、その下段２３６は、アクチュエータベース２３２内のトラフ２３８内に載る。リブ２４０は、下段２３６から外側に向かって伸びる。また、リブ２４０は、アクチュエータ２２０の動作方向を横切って伸びる。リブ２４０は、１組の対向する表面２３９，２４１を備える。わたり２４２は、下段２３６に隣接して位置し、上段２４４まで上方に傾斜する。上段２４４は、アクチュエータベース２３２のシェルフ２４６に載る。シェルフ２４６とトラフ２３８は、滑動部２２４が接する場所において平坦であるが、変形して、摩擦力を削減することもできる。アクチュエータベース２３２のトラフ２３８とシェルフ２４６の間の領域２４７は、斜めに切り落とされており、わたり２４２にクリアランスを提供する。
【００６８】
アクチュエータベース２３２は、１組のフランジ２４８，２５０を含む（図２６〜図２８を参照）。第１フランジ２４８は、アクチュエータベース２３２のトラフ２３８に隣接する溝２５２と重なり合う。同様の溝２５４は、アクチュエータベース２３２の傾斜領域２４７と隣接する。第２フランジ２５０は、第２の溝２５４と重なる。滑動部２２４の下段２３６は、第１の溝２５２と適合する形状の突起２５６を有する。滑動部２２４の上段は、第２の溝２５４と適合する同様の突起２５７を有する。トラフ２３８の両端は開いているので、滑動部２２４は、若干、撓むことができる。このため、カメラ１０の組み立て時に、フランジ２４８，２５０の下に滑動部２２４を滑り込ませることができる。
【００６９】
爪付きアーム２５８は、爪２６２で終わる可撓性アーム２６０を備える。爪付きアーム２５８は、滑動部２２４の上段２４４に連結される。戻り止めリブ２６４は、アクチュエータベース２３２から外側に突き出る。爪付きアーム２５８は、この戻り止めリブ２６４の上に載り、アクチュエータ２２０が第１位置と第２位置に向かい、該第１位置と第２位置の間の中間位置から離れようとする力を与える。爪付きアーム２５８と戻り止めリブ２６４とは、共に、アクチュエータのオーバセンタ機構１９８ａを提供する。このオーバセンタ機構１９８ａは、オーバセンタばね２００を含む第２または駆動オーバセンタ機構１９８ｂと協調的に機能する。
【００７０】
滑動部２２４の上段２４４は、把持部２２２のコネクタ２２８を受け取る結合金具２６６を備える。図示された実施形態において、把持部２２２は、滑動部２２４の上段にある穴にスナップ嵌めされる。追加の部品を用いずに把持部２２２が所定の位置に保持され、カメラ１０の組み立てが容易になるため、このスナップ嵌め方式は便利である。これに代わる部品の取り付け方法は、当業者には周知である。
【００７１】
アクチュエータベース２３２は、外側に突出するポスト２６８と駆動装置座２７０とを備える。駆動装置座２７０と、ポスト２６８とは、互いにオフセットされる。駆動装置２７２は、駆動装置座２７０の上に設置され、座２７０から伸びる駆動軸２７４（図２０を参照）を中心に旋回できる。駆動装置２７２と駆動装置座２７０とは、ハブと軸の方式で嵌め合うことができるが、駆動装置座２７０を縁付きの穴として、駆動装置がスナップコネクタ２７３を備えるという、一部の図に示すようなスナップ式嵌め合いを提供すると便利である。
【００７２】
駆動装置２７２は、外周に歯を持つ歯車を備える。ポスト２７７は、歯車２７６の近傍で上方に伸びる。駆動装置２７２は、歯車２７６の外周近傍で歯車２７６から下に伸びる１組の下方突出止め部材２７８，２８０を備える。ポスト２６８と止め部材２７８，２８０は、径方向の異なる位置に配置できる。図示された周方向の位置は、所定の歯車サイズに応じた駆動装置２７２の動作を最大限に大きくする位置である。ポスト２６８と、止め部材２７８，２８０は、延長部分（図示せず）の上で径方向のより外側に移動できるが、この構成は装置の組み立てを複雑化する可能性がある。歯車２７６は、滑動部２２４と重なり合う。この重複は、展開装置２１８の空間要件を削減する。
【００７３】
止め部材２７８，２８０は、歯車２７６から下に向かって伸びる。その伸びは、アクチュエータ２２０の移動時に止め部材２７８，２８０がリブ２４０に干渉する程度である。止め部材２７８，２８０は、互いに離れて位置する。離れる間隔は、各種の範囲で設定できるが、望ましくは、駆動装置２７２の移動方向において１８０度より広いものとする（詳細は後述する）。図２０〜図３２に示される展開装置において、止め部材の前述の間隔は、駆動装置２７２の移動方向において２７０度である。１８０度より小さい角度を用いることもできるが、小さい角度に設定した場合は、展開可能な構成部品の所定の動作に応じて、より大きい歯車２７６を用いる必要がある。このことは、展開装置２１８の利点として前述した小型化に逆行する。
【００７４】
用途においては、歯車２７６が全周に歯を備える必要はない。たとえば、図２０〜図３２の実施形態において、２つの止め部材２７８，２８０の間に位置する９０度の円弧上の歯は機能しないので、削除可能である。完成した装置で機能しないとしても、全周の歯は、駆動装置２７２を任意の向きで所定の位置に配置してから、正しい向きになるまで該装置をいずれかの方向に回転できるため、組み立て時に有利である。展開可能な構成部品２１８は、その後、正しい向きが達成されてから駆動装置２７２に組み込まれる。
【００７５】
ツイストリング６６は、駆動装置２７２の動作に対応するような歯が設けられる。すなわち、この歯は、駆動装置２７２の機能上の歯に対する補完的な歯である。
【００７６】
図２０〜図３２の実施形態において、駆動オーバセンタ機構１９８ｂは、アクチュエータベース２３２および駆動装置２７２に取り付けられる。駆動オーバセンタ機構１９６ｂは、２つの対向するアームそれぞれの両端部にループ２０１，２０３を備えるオーバセンタばね２００を有する。第１ループ２０１は、駆動装置２７２のポスト２７７に装着される。第２ループ２０３は、アクチュエータベース２３２のポスト２６８に装着される。オーバセンタばね２００は、駆動装置２７２と、巻き込まれたツイストリング６６と、移動部６８と、に対して、図２１と図２２に示された方位に向かい、中間方位から離れようとする力を与える。
【００７７】
ここに開示したものの代わりに、他のタイプのオーバセンタ機構も利用できる。たとえば、爪付きアーム２５８と戻り止めリブ２６４は、図示したものと類似のオーバセンタばねで代用できる。（アクチュエータベース２３２と滑動部２２４とにポストを追加して、オーバセンタばねの各ループを保持することができる。）
【００７８】
鏡筒５０の収縮位置と伸張位置の切り替えは、アクチュエータ２２０の把持部２２２をユーザが押すことで開始する。その結果、アクチュエータ２２０が第１位置から第２位置に向かって移動する。アクチュエータ２２０が第１位置から離れる方向に動作する間、アクチュエータ２２０のリブ２４０の第１表面２３９が、駆動装置２７２の第１止め部材２７８を押す。これにより、駆動装置２７２は、中間方位の第１の範囲から中央方位に向けて旋回する。この旋回は、アクチュエータオーバセンタ機構１９８ａと、駆動オーバセンタ機構１９８ｂとによって逆転される。アクチュエータ２２０の移動は、配置形態の中央範囲が達成されるまで継続する。この時点で、アクチュエータオーバセンタ機構１９８ａによる力は、第２位置に向ける力に変わる。アクチュエータオーバセンタ機構１９８ａによる前向きの力は、駆動オーバセンタ機構１９８ｂによる継続した力と方向が逆である。
【００７９】
駆動装置２７２の中央方位が達成されると、駆動オーバセンタ機構１９８ｂが切り替わって、駆動装置２７２を第２最終方位に旋回させる前進方向の力を加える。この時点において、両方のオーバセンタ機構１９８ａ，１９８ｂは、同一の方向になる。アクチュエータ２２０は、第２位置が達成されてアクチュエータの動作が停止するまで、その動作を続行する。駆動装置２７２は、駆動オーバセンタ機構１９８ｂの前向き力の元で、前方に移動し続ける。図示された実施形態において、駆動装置２７２は、中央方位が達成された後、アクチュエータ２２０とは独立して動作する。その結果、駆動装置２７２の第１止め部材２７８は、アクチュエータ２２０のリブ２４０の第１表面２３９から離れる。駆動オーバセンタ機構１９８ｂの力は、中間方位の第２範囲から第２最終方位まで駆動装置２７２を旋回させる。アクチュエータ２２０は、第２位置に残る。駆動装置２７２の旋回が続行される間に、駆動装置２７２の第２止め部材２８０が、リブ２４０の第２の表面２４１に近付いて、該表面２４１に到達する。
【００８０】
両位置の間の鏡筒の動作は、止め部材２７８，２８０によって、または、止め部材２７８，２８０と、１つ以上のレストの両方によって、または、レストのみか支持部の機構のみによって、その範囲を規定できる。最初の２つのケースでは、止め部材２７８，２８０が、規定位置において、リブ２４０の表面２３９，２４１と噛み合う。最後のケースでは、止め部材２７８，２８０が、規定位置において、リブ２４０から離れている。
【００８１】
特定の実施形態において、カメラ１０は、位置決め部６２を有する。位置決め部６２は、１つ以上のレンズ部品の位置を規定するために用いられる。位置決め部６２を用いて、鏡筒５０の移動を制限する場合は、位置決め部６２も、ここで、移動止め部材６２ａと呼ばれる。
【００８２】
図８〜図１０、および図３３〜図３５を参照して説明する。移動止め部材６２ａは、リング形の１個のプラスチック成型部品で、光学軸３８の軸線上に中心を持つ開口部２８４を有する。移動止め部材６２ａは、環状主要部２９８と、主要部２８８から離れる軸方向に伸びる滑材２８６と、を含む。滑材２８６と、主要部２８８は、開口部２８４より径方向外側に配置される。滑材２８６は、光学軸３８を中心として、マウント２６に向かう螺旋形状に構成される。滑材２８６は、１つ以上の傾斜部２９０を持つ。各傾斜部２９０は、光学軸３８廻りの各螺旋を画定する。
【００８３】
移動止め部材６２ａの滑材２８６の傾斜部２９０は、本実施形態において、前部レスト５４である。傾斜部２９０は、鏡筒５０の第１接触面５８と結合し、鏡筒５０の前方への更なる移動を妨害することで、鏡筒５０の伸張位置を規制する（図３４を参照）。これらの実施形態において、鏡筒５０は、前述したように、中央通路４０に設けられた主要部８２と、該主要部８２から外側に突き出る複数のトラックフォロア８０と、を有する。第１接触面５８は、各トラックフォロア８０のポスト８４の一部である。第１接触面５８の部分は、それぞれ比較的小さいため、伸張位置において、径方向の位置が一致する各傾斜部２９０の区画とのみ接触する。この区画は、第１接触面と接する傾斜部の部位であるため、傾斜部の僅かな部分で構成される。
【００８４】
図３３に示される実施形態において、移動止め部材６２ａは、該移動止め部材６２ａの主要部２８８から軸方向の外側に伸びる１つ以上の受け面２９４も含む。各受け面２９４は、弓形で、主要部２９８の廻りの一部に伸びる。受け面２９４は、１つまたは複数の傾斜部２９０から離れた位置にある。各受け面２９４は、光学軸３８に沿って伸びる１つ以上の接触面２９６を持つ。接触面２９６は、それぞれ、光学軸３８と平行な方向に主要寸法を持つ。受け面２９４の数、形状、および間隔については、各種の構成を採用できる。たとえば、図３３に示される実施形態において、各受け面２９４は、各受け面の中央部で互いに向き合う第１組の対向接触面２９６を備え、その第２組を各受け面２９４の反対側の端部に含む。
【００８５】
本実施形態において、ガイド２８は、前部外周縁４４から伸びる進入路２９７を備える。進入路２９７は、中央通路４０から径方向外側に離れて配置される。各進入路２９７は、リングの一部のような形状で、各受け面２９４と位置合わせされる。受け面２９４は、図３４に示されるように、それぞれの進入路２９７内に延長できる。あるいは、それぞれの進入路２９７に対して窪んだ状態、または突出した状態に構成してもよい。現時点では、受け面２９４が、光学軸３８に沿って前方に伸び、移動止め部材６２ａの主要部２８８が、前部外周縁４４の後方にあると好ましい。受け面２９４は、別の選択肢として、光学軸３８を基準とした径方向外側に伸びることもできる。移動止め部材６２ａは、前部外周縁４４に隣接するガイド２８に取り付けられる。移動受け部材６２ａの滑材２８６は、ガイド２８の内部に配置される。傾斜部２９０は、マウント２６に向き合う。図示された実施形態において、滑材２８６は、３つの傾斜部２９０を含む。この傾斜部２９０は、光学軸３８から等距離の位置で互いに間隔を空けて配置され、マウント２６に向かって同様に傾斜する。
【００８６】
図３３〜図３５に示される移動止め部材６２aは、主要部２９８の前方区画３００と、軸方向に差し込まれた主要部２９８の後部区画３０２と、を有する。前方区画３００は、後ろ向きの肩部３０４を備える。組み立てられたレンズモジュール２２において、ツイストリング６６は、マウント２６の前部縁３０６と、移動止め部材６２ａの肩部３０４の間に挟み込まれる。移動止め部材６２ａは、ツイストリング６６と、ガイド２８の前部外周縁４４の間に挟まれる。
【００８７】
移動止め部材６２ａは、光学軸３８を中心に、滑材２８６の複数の異なる方位まで、支持部２４とフレーム２０に対して旋回できる。この旋回は、第１接触面と接触する傾斜部の区分に沿って移動する。位置決め部６２は、受け面２９４の１つ以上の接触面２９６を押すことによって旋回する。１つ以上の刃またはピンを持つスパナ、または他の工具（図示せず）を、１つ以上の進入路に挿入して、接触面２９６の上に置くことができる。この工具を利用して、光学軸３８の廻りの正逆いずれかの回転方向に位置決め部６２を押すことができる。また、受け面２９４も、前面カバーを配置する前であれば、カメラの組み立て時に手で押すことができる。
【００８８】
移動止め部材６２ａの旋回は、滑材２８６と鏡筒５０の相対径方向配置を変更する。移動止め部材６２ａは旋回されると、各ポスト８４の部品と接触する傾斜部２９０の区画は、各傾斜部２９０に沿って移動する。この移動は、伸張位置において、第１接触面５８と鏡筒５０のレストの軸方向の位置を変更する。移動止め部材６２ａは、各カメラ１０のレンズ焦点を修正するため、組み立て時に調整される。調整後、移動止め部材６２ａは、部品間の摩擦力によって、あるいは、クランプまたは他の締結によって所定の位置に保持される。あるいは、接着剤または溶接などを用いて移動止め部材６２ａを所定の位置に固定することによって、所定の位置に保持される。
【００８９】
図３６〜図３７、および図４５に示される別の実施形態において、移動止め部材６２ｂの受け面２９４は、共に結合されて、ガイド２８の前部外周縁４４の外面である連続したへりを形成する。移動止め部材６２ｂは、前部外周縁４４と移動部６２ｂの内側縁部３３０の重なり合いによって、所定の位置に保持される。他の点において、移動止め部材６２ｂは、前述したものと同様である。
【００９０】
後部移動止め部材（図示せず）を、前部移動止め部材６２ａに追加して、あるいはその代用として用いることもできる。後部止め部材は、移動止め部材６２ａの反対側でガイド２８に取り付けられ、収縮位置における鏡筒５０の位置を規制する。後部移動止め部材は、ガイド２８の前部外周縁４４と向き合う滑材２８６を有する。他の点において、滑材２８６と他の特性は前述のものと同様である。
【００９１】
特定の実施形態において、工具の代わりに、カバーグラス３１０を利用して、移動止め部材６２ａまたは他の位置決め部６２を調整できる。図３３、図３６〜図３７、および図４５を参照すると、カバーグラス３１０は、透明またはフィルタ構造の窓３１２を持つ。カバーグラス３１０は、窓３１２を支持する補強帯３１４を備えており、衝撃に対する補強を提供できる。調整部材３１６は、補強帯３１４に連結される。調整部材３１６は、マウント２６に向かって伸びる１つ以上のラグ３１８を持つ。特定の実施形態において、窓３１２は、被覆されており光学的パワーを持たない。
【００９２】
カバーグラス３１０は、ガイド２８の前部外周縁４４に取り付けられ（図３３を参照）か、または、移動止め部材６２ａに取り付けられる（図３６〜図３７、および図４５を参照）。窓３１２は、支持部２４の中央通路４０と整列される。ラグ３１８は、移動止め部材６２ａの受け面２９４の中央部において接触面２９６と接合する位置に設けられる（図３３を参照）。帯３１４は、受け面２９４の外側端部３０８と接合する。図３３に示される実施形態において、ラグ３１８は、進入路２９７内に伸びる（図３３〜図３４を参照）。カバーグラス３１０は、１個のプラスチック成型部品にできる。
【００９３】
カバーグラス３１０は、少なくとも初期において、光学軸３８を中心に支持部２４に対して旋回できる。カバーグラス３１０が回転されると、ラグ３１８が移動止め部材６２ａを押し、光学軸３８の廻りで移動止め部材６２ａを旋回させる。
【００９４】
ここで、図３８〜図４０を参照して説明する。本発明の特定の実施形態において、位置決め部６２ｂは、移動しないレンズと共に使用される。本カメラ１０において、鏡筒５０は、前部レンズホルダ３２０によって代用される。前部レンズ３２２は、前部レンズホルダ３２０内に保持される。後部レンズ３２６は、後部レンズホルダ３２８内に保持される。前部レンズホルダ３２０の位置は、光学軸３８に沿って、後部レンズ３２６に対して調整され、光学軸３８に沿った単一の位置における焦点の調整を提供する。この点は、カメラの組み立て後は不変となる工場での調整事項であってもよく、あるいは、ユーザによる調整が可能であってもよい。
【００９５】
前部レンズホルダ３２０は、滑材２８６の傾斜部２９０に対して旋回される接触面３２４を持ち、光学軸３８に沿って前部レンズ３２２を再配置する。この再配置は、前述した移動止め部材６２ａと同様の方法で行われる。カバーグラス３１０は、この前に説明した実施形態と同様に機能する。カバーグラス３１０は、前面カバー１６に取り付けられる。また、カバーグラス３１０は、レンズホルダ３２０の受け面２９４の接触面２９６に接した状態で、カバーグラス３１０のラグ３１８と共に光学軸３８を中心に旋回し、光学軸３８を中心にレンズホルダ３２０を回転する。図３８〜図４０の実施形態において、受け面２９４は、光学軸を基準とする径方向外側に伸びて、連続したリング内に収束する。
【００９６】
本発明について、その好ましい特定の実施形態を個別に参照しながら詳細に説明したが、各種の変更および変形は、本発明の精神および範囲内で有効であることを理解されるであろう。
【本発明の他の特性】
【００９７】
本発明の他の特性について、下記の箇条書き文に記載する。
【００９８】
１．カメラアセンブリであって、
光学軸を画定する支持部であって、前方に伸び、前記光学軸に平行な仮想線に対して傾斜する第１カム面を持つカムフィンガを有する支持部と、
前記支持部から離れて位置する前部外周縁と、前記カムフィンガを受け、前記第１カム面と平行で、前記第１カム面から離れて位置する第２カム面を持つノッチと、を有するガイドと、を含み、
前記第１カム面と第２カム面が共に、第１と第２の対向する端部を備えるカムスロットを画定し、更に、
前記光学軸に沿って、内側位置と外側位置の間で選択的に、前記支持部に対して平行移動する鏡筒であって、前記スロット内に伸び、該スロットに沿って前記端部の間で移動可能なカムフォロアを持つ鏡筒を含み、
前記支持部と前記ガイドは、互いに連結される、それぞれ個別の部品である
ことを特徴とするカメラアセンブリ。
【００９９】
２．箇条書き１に記載のカメラアセンブリであって、前記支持部と前記ガイドは、それぞれ、１個のプラスチック成型部品であることを特徴とするカメラアセンブリ。
【０１００】
３．箇条書き１に記載のカメラアセンブリであって、更に、前記カムフォロアを前記スロットの前記端部に向かわせ、前記スロットの前記端部の間の連続した中間位置から離れるように該カムフォロアを動かすオーバセンタ機構を含むことを特徴とするカメラアセンブリ。
【０１０１】
４．箇条書き１に記載のカメラアセンブリであって、
前記鏡筒は、前記ガイドに沿って、収縮位置と伸張位置の間で軸方向に移動可能な移動部を含み、
前記移動部は、前記カムフォロアが、前記スロットの一方の端部にある時に、前記収縮位置に配置され、前記カムフォロアが、前記スロットのもう一方の端部にある時に、前記伸張位置に配置される
ことを特徴とするカメラアセンブリ。
【０１０２】
５．箇条書き４に記載のカメラアセンブリであって、前記ガイドは、前記移動部の前記光学軸を中心とした回転を阻止することを特徴とするカメラアセンブリ。
【０１０３】
６．箇条書き１に記載のカメラアセンブリであって、
前記鏡筒は、前記ガイドに沿って、収縮位置と伸張位置の間で軸方向移動が可能な移動部と、前記カムフォロアによって、第１方位と第２方位の間で、前記移動部に対して旋回可能な光学部品座と、を備え、
前記光学部品座は、前記第１方位にある時に、前記光学軸と整列し、前記第２方位にある時に、前記光学軸から離れる
ことを特徴とするカメラアセンブリ。
【０１０４】
７．箇条書き６に記載のカメラアセンブリであって、前記ガイドは、前記移動部の前記光学軸を中心とした回転を阻止することを特徴とするカメラアセンブリ。
【０１０５】
８．箇条書き１に記載のカメラアセンブリであって、
前記鏡筒は、
前記ガイドに沿って、収縮位置と伸張位置の間で移動可能な移動部を含み、
前記ガイドは、前記移動部の前記光学軸を中心とした回転を阻止し、更に、
前記移動部に支持されるタレットであって、前記カムフォロアと、該カムフォロアから離れて位置する１組の光学部品座と、を含み、前記カムフォロアと前記光学部品座の間に設けられた旋回軸を中心として、前記光学部品座の一方が前記光学軸と整列する第１方位と、前記光学部品座のもう一方が前記光学軸と整列する第２方位の間で、前記移動部に対して旋回可能なタレットを含む
ことを特徴とするカメラアセンブリ。
【０１０６】
９．カメラアセンブリであって、
光学軸を画定する支持部であって、前方に伸び、第１カム面を持つカムフィンガを有する支持部と、
前記支持部にスナップ留めされるガイドであって、前記支持部から離れて位置する前部外周縁と、前記カムフィンガを受け、前記第１カム面と平行で、前記第１カム面から離れて位置する第２カム面を持つノッチと、を有するガイドと、を含み、
前記第１カム面と第２カム面が共に、対向する第１端部と第２端部を備え且つ前記光学軸と平行でないカムスロットを画定し、更に、
前記光学軸に沿って、内側位置と外側位置の間で選択的に、前記支持部に対して平行移動するタレットであって、前記スロット内に伸び、該スロットに沿って前記端部の間で移動可能なカムフォロアを有し、該カムフォロアが前記スロットの前記第１端部に運ばれた時に第１方位に旋回し、該カムフォロアが前記スロットの前記第２端部に運ばれた時に第２方位に旋回するタレットを含む
ことを特徴とするカメラアセンブリ。
【０１０７】
１０．箇条書き９に記載のカメラアセンブリであって、更に、前記カムフォロアを前記スロットの前記端部に向かわせ、前記スロットの前記端部の間の連続した中間位置から離れるように該カムフォロアを動かすオーバセンタ機構を含むことを特徴とするカメラアセンブリ。
【０１０８】
１１．箇条書き１０に記載のカメラアセンブリであって、
前記タレットは、移動部内で支持され、
前記旋回は、前記移動部に対して相対的な旋回であり、
前記移動部は、前記タレットと共に、前記光学軸に沿って選択的に平行移動する
ことを特徴とするカメラアセンブリ。
【０１０９】
１２．箇条書き９に記載のカメラアセンブリであって、更に、前記移動部に結合される裏打ち材を含み、前記タレットは、前記移動部と前記裏打ち材の間に挟み込まれることを特徴とするカメラアセンブリ。
【０１１０】
１３．箇条書き９に記載のカメラアセンブリであって、
前記タレットは、移動部内で支持され、
前記旋回は、前記移動部に対して相対的な旋回であり、
前記移動部は、前記タレットと共に、前記光学軸に沿って選択的に平行移動する
ことを特徴とするカメラアセンブリ。
【０１１１】
１４．箇条書き９に記載のカメラアセンブリであって、
前記タレットは、第１光学部品座と第２光学部品座を含み、
前記旋回は、前記光学軸に対して相対的な旋回であり、
前記第１光学部品座は、前記第１位置において前記光学軸と整列し、
前記第２光学部品座は、前記第２位置において前記光学軸と整列する
ことを特徴とするカメラアセンブリ。
【０１１２】
１５．箇条書き１４に記載のカメラアセンブリであって、更に、前記第１光学部品座と前記第２光学部品座内でそれぞれ支持される第１タレットレンズ部品と第２タレットレンズ部品とを含み、前記第１タレットレンズ部品と第２タレットレンズ部品は、異なる光学的パワーを持つことを特徴とするカメラアセンブリ。
【０１１３】
１６．箇条書き９に記載のカメラアセンブリであって、前記支持部と前記ガイドは、それぞれ、１個のプラスチック成型部品であることを特徴とするカメラアセンブリ。
【０１１４】
１７．カメラアセンブリであって、
光学軸を画定する支持部であって、前方に伸び、第１カム面を持つカムフィンガを有する支持部と、
前記支持部にスナップ留めされるガイドであって、前記支持部から離れて位置する前部外周縁と、前記カムフィンガを受け、前記第１カム面と平行で、前記第１カム面から離れて位置する第２カム面を持つノッチと、を有するガイドと、を含み、
前記第１カム面と第２カム面が共に、対向する第１端部と第２端部を備え且つ前記光学軸と平行でないカムスロットを画定し、更に、
前記光学軸に沿って、内側位置と外側位置の間で選択的に、前記支持部に対して平行移動する鏡筒であって、前記スロット内に伸び、該スロットに沿って前記端部の間で移動可能なカムフォロアを持つ鏡筒を含む
ことを特徴とするカメラアセンブリ。
【０１１５】
１８．箇条書き１７に記載のカメラアセンブリであって、前記ガイドは、１個のプラスチック成型部品であることを特徴とするカメラアセンブリ。
【０１１６】
１９．箇条書き１７に記載のカメラアセンブリであって、更に、前記カムフォロアを前記スロットの前記端部に向かわせ、前記スロットの前記端部の間の連続した中間位置から離れるように該カムフォロアを動かすオーバセンタ機構を含むことを特徴とするカメラアセンブリ。
【０１１７】
２０．箇条書き１９に記載のカメラアセンブリであって、
前記鏡筒は、前記ガイドに沿って、収縮位置と伸張位置の間で移動可能な移動部を含み、
前記ガイドは、前記移動部の前記光学軸を中心とした回転を阻止し、更に、
前記移動部に支持されるタレットであって、前記カムフォロアと、該カムフォロアから離れて位置する１組の光学部品座と、を含み、前記カムフォロアと前記光学部品座の間に設けられる旋回軸を中心として、前記光学部品座の一方が前記光学軸と整列する第１方位と、前記光学座のもう一方が前記光学軸と整列する第２方位の間で、前記移動部に対して旋回可能なタレットを含む
ことを特徴とするカメラアセンブリ。
【図面の簡単な説明】
【０１１８】
【図１】カメラの一実施形態について、部分的に分解して示す前面斜視図である。
【図２】図１のカメラを示す前面斜視図である。
【図３】図１のカメラのレンズモジュールについて、部分的に分解して示す前面斜視図である。
【図４】図１のカメラの鏡筒を示す前面斜視分解図である。
【図５】図３のレンズモジュールの支持部を示す斜視図である。
【図６】図５の支持部を示す分解図である。
【図７】図５の支持部をタレットと共に示す側面図である。
【図８】図１のカメラのレンズモジュールを示す部分断面斜視図である。鏡筒が伸張位置で示され、タレットが第１で示される。本図において、シャッタは閉じた状態にある。
【図９】図８と同一の図について、鏡筒を中間位置で、タレットを第１位置と第２位置の間の中間位置で示す図である。本図において、シャッタは閉じた状態にある。
【図１０】図８と同一の図について、鏡筒を収縮位置で、タレットを第２位置で示す図である。本図において、シャッタは閉じた状態にある。
【図１１】カメラの別の実施形態を示す半模式化された平面図である。鏡筒は伸張位置で示されている。
【図１２】図１１と同一の図について、鏡筒を収縮位置で示す図である。
【図１３】図１のフレームアセンブリを示す斜視図である。フレームアセンブリは、フレームと、フィルム搬送部と、シャッタと、タレットと、を含む。シャッタは、閉じた位置にあり、タレットは第２位置にある。
【図１４】図１３のフレームアセンブリを部分前面図である。
【図１５】図１４と同一の図について、シャッタが開いた位置で示す図である。
【図１６】図１のカメラの鏡筒を部分的に断面で示す側面図である。
【図１７】図１のカメラの鏡筒を示す背面斜視図である。裏打ち材は示されず、タレットは第１位置で示される。本図にシャッタは示されていない。
【図１８】図１７と同一の図について、タレットを第２位置で示す図である。本図にシャッタは示されていない。
【図１９】図１のカメラの鏡筒を部分的に展開して示す、背面斜視図である。本図にシャッタは示されていない。
【図２０】カメラの別の実施形態について、簡略化された分解状態で示す斜視図である。図を明瞭にするため、オーバセンタ機構とその関連部品のみが示されている。
【図２１】図２０のカメラのアクチュエータベース、支持部、およびツイストリングを示す図である。ツイストリングは、広角位置で示されている。
【図２２】図２１と同一の図について、ツイストリングを望遠位置で示す図である。
【図２３】図２０の展開アパーチャを示す部分断面図である。ツイストリングは望遠位置にある。
【図２４】図２０のカメラのカメラフレーム、支持部、およびアクチュエータベースを示す前面図である。
【図２５】アクチュエータベースを示す図２４の部分拡大図である。
【図２６】アクチュエータの内部サブユニットが共に示される点を除いて、図２５と同一の図である。
【図２７】図２０のカメラのアクチュエータを示す前面図である。アクチュエータの外部サブユニットは点線で示される。
【図２８】図２０のカメラのアクチュエータを示す側面図である。
【図２９】図２０のカメラの駆動装置を示す斜視図である。
【図３０】図２９の駆動装置を示す前面図である。
【図３１】図２９の駆動装置を示す背面図である。
【図３２】図２９の駆動装置を示す底面図である。
【図３３】図１のカメラの前部移動止め部材を示す前面斜視図である。カバーグラスの一部が点線で示されている。
【図３４】図１のカメラのレンズモジュールを部分的な断面で示す前面斜視図である。
【図３５】図１のカメラのレンズモジュールを部分的な断面で示す側面図である。
【図３６】カメラの別の実施形態に係るフレームアセンブリを示す前面斜視図である。カバーグラスは、レンズモジュールから分離された状態で示される。
【図３７】図３６のフレームアセンブリを示す前面図である。
【図３８】カメラの別の実施形態を示す部分断面図である。
【図３９】図３８の前部レンズホルダと前部レンズを示す前面図である。
【図４０】カメラの別の実施形態に係る前部レンズホルダを示す前面斜視図である。
【図４１】図１のカメラのシャッタ機構、フィルム搬送部、および他の関連部品を示す平面図である。
【図４２】図４１と同一の図を、シャッタが開いた位置で示す図である。
【図４３】図４２と同一の特性を、シャッタが開いた位置で示す平面図である。
【図４４】図４２と図４３のシャッタとシャッタ駆動部を示す斜視図である。
【図４５】図３６のフレームアセンブリを示す断面図である。シャッタは開いた位置にあるため、本図においてシャッタは見えない。
【符号の説明】
【０１１９】
２４  支持部、２６  マウント、２８  ガイド、３０  フック、４４  前部外周縁、９２  スロット、９６  タレット、１８０  カムフォロア、１８４  カムスロット、１８６  第１端部、１８８  第２端部、１９０  カムフィンガ、１９２  第１カム面、１９４  ノッチ、１９６  第２カム面。
【図１】
2004355002.tif 000003
【図２】
2004355002.tif 000004
【図３】
2004355002.tif 000005
【図４】
2004355002.tif 000006
【図５】
2004355002.tif 000007
【図６】
2004355002.tif 000008
【図７】
2004355002.tif 000009
【図８】
2004355002.tif 000010
【図９】
2004355002.tif 000011
【図１０】
2004355002.tif 000012
【図１１】
2004355002.tif 000013
【図１２】
2004355002.tif 000014
【図１３】
2004355002.tif 000015
【図１４】
2004355002.tif 000016
【図１５】
2004355002.tif 000017
【図１６】
2004355002.tif 000018
【図１７】
2004355002.tif 000019
【図１８】
2004355002.tif 000020
【図１９】
2004355002.tif 000021
【図２０】
2004355002.tif 000022
【図２１】
2004355002.tif 000023
【図２２】
2004355002.tif 000024
【図２３】
2004355002.tif 000025
【図２４】
2004355002.tif 000026
【図２５】
2004355002.tif 000027
【図２６】
2004355002.tif 000028
【図２７】
2004355002.tif 000029
【図２８】
2004355002.tif 000030
【図２９】
2004355002.tif 000031
【図３０】
2004355002.tif 000032
【図３１】
2004355002.tif 000033
【図３２】
2004355002.tif 000034
【図３３】
2004355002.tif 000035
【図３４】
2004355002.tif 000036
【図３５】
2004355002.tif 000037
【図３６】
2004355002.tif 000038
【図３７】
2004355002.tif 000039
【図３８】
2004355002.tif 000040
【図３９】
2004355002.tif 000041
【図４０】
2004355002.tif 000042
【図４１】
2004355002.tif 000043
【図４２】
2004355002.tif 000044
【図４３】
2004355002.tif 000045
【図４４】
2004355002.tif 000046
【図４５】
2004355002.tif 000047